(57)【要約】      （修正有）【課題】部材数、鋼材料、組立工程を低減でき、有効利用空間を減少させることのない園芸用ハウス構造体を低価格で提供する。【解決手段】所要の間隔をおいて前後左右に立設された多数の柱２をその上部側面に端部が連結されて前後左右に配設される金属パイプよりなる梁４により連繋するとともに、この梁４より上部に突出した柱上部２１と前記梁４との間に吊方杖６を設けて梁４を吊下げ支持させた軸組構造体１の上部に屋根組５を設けたことにより、梁４は吊方杖６によって吊下げ支持されるので軸組構造体１を高剛性とすることができ、室内空間に梁４が占める比率を減少させて室内の高さを変えずに軒高をさげることができるので、外壁面が小さくなり材料を低減できるうえに風荷重も小さく、風にも強いものとなる。また、吊方杖６に吊下げ支持される梁４同士は火打ち梁７により連結しておくことが好ましい。【選択図】図１
2008054619.tif 000002
【特許請求の範囲】
【請求項１】
所要の間隔をおいて前後左右に立設された多数の柱をその上部側面に端部が連結されて前後左右に配設される金属パイプよりなる梁により連繋してこの梁をこれより上部に突出した柱上部との間に設けた吊方杖により吊下げ支持させた軸組構造体の上部に屋根組を設けたことを特徴とする園芸用ハウス構造体。
【請求項２】
吊方杖に吊下げ支持される梁同士を火打ち梁により連結してある請求項１に記載の園芸用ハウス構造体。
【発明の詳細な説明】
【技術分野】
【０００１】
本発明は農業等施設園芸における多連棟型の園芸用ハウスに適した鉄骨軸組の園芸用ハウス構造体に関するものである。
【背景技術】
【０００２】
従来、多連棟型の鉄骨軸組園芸用ハウスの園芸用ハウス構造体としては、３〜４ｍの屋根の２〜３山毎に鉄柱を立設し、６〜９ｍほどの間口スパンを形成して水平にトラス梁を設けたものを普通とするが、トラス梁は４０ｃｍ前後の高さとなるので使用可能空間を狭めるうえに、トラス梁は多数の部品を溶接するため製造コストが高くなるという問題がある。このため、トラス梁の変わりにＨ型鋼の梁を用いることも考えられるが、Ｈ型鋼でも高さが３０ｃｍ前後となるうえに日照を遮るという問題があるうえに、トラス梁やＨ型鋼の梁では座屈による許容曲げ応力の低減がある。また、角パイプや丸パイプ単体の梁では所要の強度を得ようとすると断面径の太いものが必要となり、柱との接合が大掛かりになるという問題がある。
【０００３】
さらに、鉄骨軸組の家屋構造の梁にラチス梁を用いたもの（例えば、特許文献１参照）や、屋根トラスを枠材と斜材及び束材とにより形成したものがある（例えば、特許文献２参照）が、特許文献１ものは、ラチス梁により有効利用空間が減少するという問題があり、特許文献２ものでは、屋根トラスは一方向にのみ形成されるため水平ブレースを組み込んだものとなり剛接合とならないという問題がある。
【特許文献１】特開平６−２９９６００号公報
【特許文献２】特開閉５−３４００２０号公報
【発明の開示】
【発明が解決しようとする課題】
【０００４】
本発明は、部材数、鋼材料、組立工程を低減できるうえに、有効利用空間を減少させることのない剛接合の園芸用ハウス構造体を低価格で提供することを目的とするものである。
【課題を解決するための手段】
【０００５】
前記したような課題を解決した本発明の園芸用ハウス構造体は、所要の間隔をおいて前後左右に立設された多数の柱をその上部側面に端部が連結されて前後左右に配設される金属パイプよりなる梁により連繋してこの梁をこれより上部に突出した柱上部との間に設けた吊方杖により吊下げ支持させた軸組構造体の上部に屋根組を設けたことを特徴とするものを基本構成とする。そして、前記したような園芸用ハウス構造体において、吊方杖に吊下げ支持される梁同士を火打ち梁により連結してあるものを請求項２の発明とする。
【発明の効果】
【０００６】
本発明は、前後左右に立設された多数の柱を連繋する前後左右の梁として、トラス梁やラチス梁に比べて１／３〜１／４の高さですむ金属パイプよりなる梁を用いたので、室内空間に梁が占める比率を減少することができ、これにより温室の全高を低くすることもできることとなって室内の高さを変えずに軒高をさげることができるので、外壁面が小さくなり、使用する材料も低減できるうえに風荷重も小さくなり、風にも強い園芸用ハウスを得ることができる。しかも、前記したようにトラス梁やラチス梁に比べて遙に小径の金属パイプよりなる梁であるにもかかわらず、この梁はこれより上部に突出した柱上部との間に設けた吊方杖によって吊下げ支持された剛接合の軸組構造体としたので、充分な強度を確保することができ、さらに、前記したような金属パイプよりなる梁はトラス梁やラチス梁に比べて小径で金属材の肉厚を薄くできるので、トラスを用いないことと相俟って組み立てコストの低減及び軽量化が可能となってコストダウンを図ることができてトータルで製造コストを３割程低減できるものとなる。
【０００７】
また、吊方杖に吊下げ支持される梁同士を火打ち梁により連繋させることにより、全体の剛性やバランスがさらによくすることができる。
【発明を実施するための最良の形態】
【０００８】
次に本発明の第１の実施例を図１〜１４に基いて詳細に説明する。
図において、１は鉄骨の軸組構造体である。この軸組構造体１は間口から奥行き方向に一定間隔をおいて地上に複数列立設された柱２およびこれより低い側柱２１と、前記した多数の柱２の上部側面に端部が連結されて前後左右に配設される金属パイプよりなる梁４とからなるもので、この軸組構造体１の上部には多連棟の屋根組５を組み付けて園芸用ハウスが構築される。なお、梁４は金属パイプよりなるものであれば、角パイプでも丸パイプでもよいが、この実施の態様では、肉厚が２〜３ｍｍ程度で一辺が７５ｍｍ程度の断面角形の鉄パイプを用いており、また、柱２はパイプ材でも型材でもよいがこの実施の態様では、肉厚が２〜３ｍｍ程度で一辺が１００ｍｍ程度の角パイプを用いており、このように柱２も梁４と同様に金属パイプよりなるものとすることにより座屈による許容曲げ応力の低減がなくなって一層軽量で安価に提供できる簡易構造とすることができる。
【０００９】
また、梁４は所要の間隔をおいて前後左右に立設された多数の柱２の各側面に端部を連結することにより柱２の上部を格子状に連繋しているが、具体的な柱２と梁４との連結は、梁４をその端部をもって柱２の４面または３面に連結させて９０°間隔に配設した４本または３本としているが、ブラケット等を介して柱２に対して４５°間隔に配設して８本としたりしても良いことは勿論であり、また、この実施の態様における梁４は柱２にコ字状ブラケット４ｃを介してボルトによりピン接合されるものとして加工や組み立てを容易化している。
【００１０】
６は各柱２を連繋する４本または３本の梁４を吊下げる吊方杖であり、この吊方杖６は上端を垂直ブラケット２ａを介して柱２の側面にボルト止めするとともに下端を梁４に垂直ブラケット４ａを介してボルト止めしたＬ型鋼よりなるもので、軸組構造体１の垂直接合部を剛接合とするものである。吊方杖７は間口側の前後端の柱２において２本用いられるが、それ以外の柱２では４本用いられる。また、吊方杖６は梁４や柱２に垂直ブラケット４ａを介してボルトによりピン接合されるものとしているので、加工や組み立てが容易となる。
【００１１】
また、間口方向と奥行き方向に対をなして設けられる吊方杖６は、柱２の間隔に応じて長さを異ならせており、柱間隔が広い間口方向に長い吊方杖６対を用い、柱間隔が狭い奥行き方向に短い吊方杖６対を用いている。なお、吊方杖６はＬ型鋼としているが、パイプ材としてもよく、パイプとした場合は両端を扁平状に潰してブラケット２ａ、４ａにボルト止めするものとする。
【００１２】
７は４本または２本の隣接する梁４同士を連繋するＬ型鋼よりなる４本または２本の火打ち梁であり、この火打ち梁７は各梁４の上面から左右に張出される水平ブラケット４ｂにボルト止めしたもので、火打ち梁７により軸組構造体１の水平接合部を剛接合とするものである。また、柱２の中心として吊方杖６と火打ち梁７とで四角錐または三角錐を形成することにより垂直方向と水平方向にわたり軸組構造体１の剛性を確保することができる。しかも、火打ち梁７は梁４とボルトによりピン接合されるものとしているので、加工や組み立てが容易となる。
【００１３】
また、前記した屋根組５は、隣り合う柱２、２間において梁４上に一定間隔下に配設される多数の谷梁５ａと、隣り合う谷梁５ａ、５ａに端部を連結させた多数のアーチパイプ５ｂ、５ｂと、各アーチパイプ５ｂ、５ｂの中間を繋ぐモヤパイプ５ｃとからなるものとしている。そして、該屋根組５にフィルムを張ることにより屋根を構築するものである。なお、図において１０は、各棟の屋根組５に設けられる天窓、１１は柱２を地上に立設させるコンクリート製土台である。
【００１４】
このように構成されたものは、鉄骨の軸組構造体１が所要の間隔をおいて前後左右に立設された多数の柱２をその上部側面に端部が連結されて前後左右に配設される金属パイプよりなる梁４により連繋するとともに、この梁４より上部に突出した柱上部と前記梁４との間に吊方杖６を設けて梁６を吊下げ支持させた剛接合構造としたので、梁４としてトラス梁やラチス梁に比べて１／３〜１／４の高さの金属パイプを用いることができて園芸用ハウス室内空間を有効利用することができ、これにより室内の高さを変えずに軒高をさげることができるので、外壁面が小さくなって材用も低減できて風荷重も小さくなり、風にも強い園芸用ハウスを低価格で提供できる。
【００１５】
また、図１５は本発明の他の実施例を示すもので、棟構造を軸組構造体１と一体構造とした大屋根型の鉄骨の軸組構造体であって、柱２を型鋼よりなるものとしてその上端に棟構造を連結するとともに、梁４を束材１２により棟構造と連結させた点、及び屋根組５を直材やアルミ型材により構築し、該屋根組５にガラスや硬質プラスチックを取り付けることにより屋根を構築する点以外は第１の実施例と同様のため詳細な説明は省略するが、このような園芸用ハウス構造体でも園芸用ハウス室内空間を有効利用することができことは勿論のこと、図１６に示した従来の大屋根型の鉄骨の軸組構造体１のような鋼材断面径を大きくするとともに肉厚を厚くした鋼材よりなる合掌型の棟構造と柱２とからなるものとするとともにタイバー１４を用いることにより剛性を保つようにしてあるものに比べて鋼材断面径を小さくして肉厚を薄くすることができることとなって、鋼材使用量を削減できる。
【図面の簡単な説明】
【００１６】
【図１】本発明の第１の実施例を示す正面図である。
【図２】同じく側面図である。
【図３】要部を拡大して示す正面図である。
【図４】同じく柱と吊方杖との接合部を示す拡大図である。
【図５】同じく梁と吊方杖の接合部を示す拡大図である。
【図６】同じく柱と梁との接合部を示す拡大図である。
【図７】要部を拡大して示す側面図である。
【図８】同じく柱と梁との接合部を示す拡大図である。
【図９】要部を拡大して示す平面図である。
【図１０】同じく梁と火打ち梁との接合部を示す拡大図である。
【図１１】同じく柱と梁との接合部を示す拡大図である。
【図１２】軸組構造体の全体を示す平面図である。
【図１３】同じく正面図である。
【図１４】同じく側面図である。
【図１５】本発明の第２の実施例を示す正面図である。
【図１６】従来の大屋根型の鉄骨の軸組構造体の正面図である。
【符号の説明】
【００１７】
２  柱
４  梁
６  吊方杖
７  火打ち梁
【図１】
2008054619.tif 000003
【図２】
2008054619.tif 000004
【図３】
2008054619.tif 000005
【図４】
2008054619.tif 000006
【図５】
2008054619.tif 000007
【図６】
2008054619.tif 000008
【図７】
2008054619.tif 000009
【図８】
2008054619.tif 000010
【図９】
2008054619.tif 000011
【図１０】
2008054619.tif 000012
【図１１】
2008054619.tif 000013
【図１２】
2008054619.tif 000014
【図１３】
2008054619.tif 000015
【図１４】
2008054619.tif 000016
【図１５】
2008054619.tif 000017
【図１６】
2008054619.tif 000018